(57)【要約】【課題】エンクロージャの剛性を効果的に高め、スピーカーユニットを振動の伝播しづらい配置とし、不要音の影響の少ないダクト開口部の配置とし、設置面への振動の伝播を抑制する構造とすること等により、高音質でかつインテリア性に優れたスピーカー装置を構成する。【解決手段】ダクト４の開口をエンクロージャ２の上面に設け、相対する構造面およびダクト４を桟５で連結し、エンクロージャ２を外側から構造板とは色相等の異なる制振板で積層し、スピーカーユニット1を角度を有する二面で構成されたバッフルの接線に近接して配置し、設置面への振動を振動遮断具接触部６と振動遮断具７で遮断することにより、高音質かつインテリア性に優れたスピーカー装置を構成する。【選択図】図２
0003133965.tif 000002
【実用新案登録請求の範囲】
【請求項１】
天井面にダクトを持ち、かつ角度をもった上下二面で構成されたバッフル面をとすることを特徴とするスピーカー装置。
【請求項２】
請求項１において、スピーカーユニットをバッフル二面の接線に近隣に配置されることを特徴とするスピーカー装置。
【請求項３】
請求項１において、エンクロージャ構造板とは密度の異なる制振板を外部から積層することを特徴とするスピーカー装置。
【請求項４】
請求項１において、エンクロージャと制振板の色相、もしくは表面処理等が異なることを特徴とするスピーカー装置。
【請求項５】
相対する構造板等とダクトを同一桟で連結することを特徴とするスピーカー装置。
【請求項６】
スピーカー装置下部にスピーカー装置構造板と一体的な振動遮断部を有することを特徴とするスピーカー装置。
【考案の詳細な説明】
【技術分野】
【０００１】
本考案は不要音を減じたスピーカー装置に関する
【背景技術】
【０００２】
スピーカー装置は一般に、振動板を持つスピーカーユニットとエンクロージャによって構成されている。振動板が小さくなるほど高い音波を発生しやすい反面、低い音波を発生しリスナーへ伝播する効率が低下する特性を有するため、低音域を補うために位相反転ダクト方式など様々な方策を講じることが多い。また、スピーカー装置は構成上、スピーカーユニットをエンクロージャへ取り付けることが常であり、振動板の振動に伴う反作用や発生音波によりエンクロージャが振動し不要音を発生し、これが本来の振動板で発生した音波に混合することから、リスナーへ到達する音を濁らすことが知られている。
また、スピーカー装置が床や棚等に設置される場合、エンクロージャからの振動が設置面へ伝わり不要音を発生させる等を事由として、エンクロージャと設置面の間に振動遮断具を挟むことが多い。
【特許文献１】特開２００６−３３１００号公報
【特許文献２】特開平７−２８４１８２号公報
【考案の開示】
【考案が解決しようとする課題】
【０００３】
従来のスピーカー装置において、ダクトはエンクロージャへ開口するよう取り付けられるために、ダクトを通じてのエンクロージャ内部からの中高音の漏れを皆無にすることは、その方式できないにも関わらず、ダクト開口部をエンクロージャ前面あるいは背面へ配置するのが常であるため、リスナーへ直接若しくは裏面の部屋等の壁面を反射して到達する。また、多用されている筒状ダクトでは開口部付近のみにより支持されるために、ダクトそのものが振動しやすい構造であり不要音を発生する。また、通常のスピーカー装置においては振動源であるスピーカーユニットをバッフル面に取り付けることから、振動板からの反作用等によりエンクロージャが振動あるいは振動が伝播し不要音を発生する。また、スピーカー装置の振動がスピーカー装置から設置面へ伝播し不要音を発生する。これらの不要音は、スピーカーユニット振動板からの音波や、ダクトによって作られた音波に混合してリスナーへ到達することから高音質化を阻害する要因となっており、簡便に不要音を減ずる方策が望まれていた。
【０００４】
そこでこの考案の目的は、かかる従来の問題を解決するためになされたものであって、一般住宅や小規模事業所等の空間において、音の忠実度が高くインテリア性の高いスピーカー装置を提供することである。
【課題を解決するための手段】
【０００５】
相対する左右の側面等を連結する内部桟を設け、これにダクトを連結する。各々連結する位置は、各部の振動を抑えるのに適した位置とする。
【０００６】
スピーカーユニットの取り付けられるフロントバッフル面は上下二面で角度を持って構成することにより剛性を高める。スピーカーユニットの取り付け位置は、この上下二面の接線に近い位置、もしくは剛性の高い位置とする。
【０００７】
構造材とは密度の異なる制振板を外側より積層し、もって振動の発生を抑制、もしくは不要音波を遮蔽する。
【０００８】
スピーカー装置下部に装置と一体的な振動遮断具接触部、及び振動遮断具に密度の高い受部を構成し、各々の接触部は点に準ずる接触面とする。また配置は前部左右の２点及び後部中央の１点、もしくは前後左右の角部４点とするのが良い。
【０００９】
ダクトの開口部は、スピーカー装置の天井面に構成する。また、ダクトの内部及び端部は、可能な限り風切音等の発生しない処置を行うのが良い。
【００１０】
スピーカー装置内部の消音材は、スピーカーユニット背部で発生した不要音を速やかに消音できるよう、適切な材質、量、及び配置とするのが良い。
【００１１】
スピーカー内部の各寸法比は、各定在波ができる限り近接しないよう設定するのが良い。また、スピーカー内部の相対する面の角度は、定在波を発生し辛いよう平行面を可能な限り無くするのが良い。
【００１２】
制振性、装置の保護性、及びインテリア性を高めるため、構造材表面には塗装を行うのが良く、諸施策を組み合わせてインテリア性をより高めるのが良い。
【考案の効果】
【００１３】
本考案のスピーカー装置においては、エンクロージャの振動を大幅に縮小することができる。また、スピーカー装置の設置面へ伝播されるエンクロージャからの振動を、大幅に縮小することができる。これにより、リスナーへの不要音の到達を大幅に縮小することができる。
【００１４】
リスナーへ到達するダクトからの不要音、およびエンクロージャ内部から漏れる中高音を、大幅に縮小することができる。
【００１５】
構造板と制振板を異なる色相、表面処理等で構成すること、およびバッフル面を角度を持った２面で構成することにより、インテリア性を高めることができる。
【考案を実施するための最良の形態】
【００１６】
以下、図面に基づいて本考案のスピーカー装置を実現する形態を説明する。
【実施例】
【００１７】
本実用新案登録のスピーカー装置は、図１、図２、及び図３に示すように、スピーカーユニット１、エンクロージャ２、制振板３、ダクト４、桟５、及び振動遮断具接触部６を主要な構成としている。
【００１８】
振動遮断具７は振動遮断具接触部６に点に準ずる面積で接触し、スピーカー装置を支える。スピーカーユニット１はエンクロージャ２の上下に角度を持って二分割されたバッフル２面の接線に近い上面側に取り付けられている。
【００１９】
ダクト４はエンクロージャ２の上面に開口している。桟５はエンクロージャ２の左右面を内側で連結し、かつダクト４に連結している。制振板３はエンクロージャ２を左右から挟み込むように、エンクロージャ２の構造体に積層している。
【００２０】
スピーカーユニット１の振動板で発せられる音波、及びダクト４で発せられる低音以外の不要な振動及び音波が効果的に抑制され、リスナーは高品位な音のみを聞くことが可能である。
【００２１】
たとえばエンクロージャ２を緑色、制振板３を木目を有する材料とすれば、よりインテリア性の高いスピーカー装置とすることが可能である。
【図面の簡単な説明】
【００２２】
【図１】実施例に係わるスピーカー装置の正面図である。
【図２】実施例に係わるスピーカー装置の横断面図である。
【図３】実施例に係わるスピーカー装置の上面図である。
【符号の説明】
【００２３】
１  スピーカーユニット
２  エンクロージャ
３  制振板
４  ダクト
５  桟
６  振動遮断具接触部
７  振動遮断具
【図１】
0003133965.tif 000003
【図２】
0003133965.tif 000004
【図３】
0003133965.tif 000005
【手続補正書】
【提出日】平成19年5月30日(2007.5.30)
【手続補正１】
【補正対象書類名】実用新案登録請求の範囲
【補正対象項目名】請求項５
【補正方法】変更
【補正の内容】
【請求項５】
請求項１において、相対する構造板等とダクトを、同一桟で連結することを特徴とするスピーカー装置。
【手続補正２】
【補正対象書類名】実用新案登録請求の範囲
【補正対象項目名】請求項６
【補正方法】変更
【補正の内容】
【請求項６】
請求項１において、スピーカー装置下部にスピーカー装置構造板と、一体的な振動遮断部を有することを特徴とするスピーカー装置。